【手続補正書】
【提出日】平成16年10月21日(2004.10.21)
【手続補正１】
【補正対象書類名】特許請求の範囲
【補正対象項目名】全文
【補正方法】変更
【補正の内容】
【特許請求の範囲】
【請求項１】
リンギング持続時間を計測するリンギング時間計測手段と、前記リンギング時間計測手段により計測されたリンギング持続時間の計測結果を表示すると共に、着信に応答したかあるいは応答しなかったかを示す応答情報を表示する制御手段と、を備えたことを特徴とする通信装置。
【請求項２】
リンギング持続時間を計測するリンギング時間計測手段と、着信履歴を記憶する着信履歴手段と、前記リンギング時間計測手段により計測されたリンギング持続時間の計測結果を、前記着信履歴手段に記憶すると共に、前記着信履歴手段に記憶されたリンギング継続時間の計測結果を表示する制御手段と、を備えたことを特徴とする通信装置。
【請求項３】
リンギング持続時間を計測するリンギング時間計測手段と、着信履歴を記憶する着信履歴手段と、前記リンギング時間計測手段により計測されたリンギング持続時間の計測結果と、着信に応答したかあるいは応答しなかったかを示す応答情報とを前記着信履歴手段に記憶すると共に、前記着信履歴手段に記憶されたリンギング継続時間の計測結果と前記応答情報とを表示する制御手段と、を備えたことを特徴とする通信装置。
【請求項４】
相手の電話番号を取得する電話番号取得手段を更に備え、前記制御手段は前記電話番号取得手段により取得された相手の電話番号を表示することを特徴とする請求項１乃至３の何れか一項に記載の通信装置。
【請求項５】
前記制御手段は前記表示された電話番号に発呼することを特徴とする請求項４に記載の通信装置。
【請求項６】
前記制御手段は着信日時を表示することを特徴とする請求項１乃至５の何れか一項に記載の通信装置。
【請求項７】
前記制御手段は着信に応答した場合には、前記リンギング持続時間の計測結果を表示しないことを特徴とする請求項１乃至６の何れか一項に記載の通信装置。
【請求項８】
留守録を行う留守録手段を更に備え、前記制御手段は前記留守録手段により留守録が行われた場合には、前記リンギング持続時間の計測結果を表示しないことを特徴とする請求項１乃至７の何れか一項に記載の通信装置。
【請求項９】
リンギング持続時間を計測するリンギング時間計測ステップと、前記リンギング時間計測ステップにより計測されたリンギング持続時間の計測結果を表示すると共に、着信に応答したかあるいは応答しなかったかを示す応答情報を表示する制御ステップと、を備えたことを特徴とする通信方法。
【請求項１０】
リンギング持続時間を計測するリンギング時間計測ステップと、着信履歴を記憶する着信履歴ステップと、前記リンギング時間計測ステップにより計測されたリンギング持続時間の計測結果を、前記着信履歴ステップとして記憶すると共に、前記着信履歴ステップに記憶されたリンギング継続時間の計測結果を表示する制御ステップと、を備えたことを特徴とする通信方法。
【請求項１１】
リンギング持続時間を計測するリンギング時間計測ステップと、着信履歴を記憶する着信履歴ステップと、前記リンギング時間計測ステップにより計測されたリンギング持続時間の計測結果と、着信に応答したかあるいは応答しなかったかを示す応答情報とを前記着信履歴ステップとして記憶すると共に、前記着信履歴ステップに記憶されたリンギング継続時間の計測結果と前記応答情報とを表示する制御ステップと、を備えたことを特徴とする通信方法。
【請求項１２】
相手の電話番号を取得する電話番号取得ステップを更に備え、前記制御ステップは前記電話番号取得ステップにより取得された相手の電話番号を表示することを特徴とする請求項９乃至１１の何れか一項に記載の通信方法。
【請求項１３】
前記制御ステップは前記表示された電話番号に発呼することを特徴とする請求項１２に記載の通信方法。
【請求項１４】
前記制御ステップは着信日時を表示することを特徴とする請求項９乃至１３の何れか一項に記載の通信方法。
【請求項１５】
前記制御ステップは着信に応答した場合には、前記リンギング持続時間の計測結果を表示しないことを特徴とする請求項９乃至１４の何れか一項に記載の通信方法。
【請求項１６】
留守録を行う留守録ステップを更に備え、前記制御ステップは前記留守録ステップにより留守録が行われた場合には、前記リンギング持続時間の計測結果を表示しないことを特徴とする請求項９乃至１５の何れか一項に記載の通信方法。
【手続補正２】
【補正対象書類名】明細書
【補正対象項目名】０００４
【補正方法】変更
【補正の内容】
【０００４】
前記の課題を解決するために、請求項１記載の発明では、リンギング持続時間を計測するリンギング時間計測手段と、前記リンギング時間計測手段により計測されたリンギング持続時間の計測結果を表示すると共に、着信に応答したかあるいは応答しなかったかを示す応答情報を表示する制御手段と、を備えた。
また、請求項２記載の発明では、リンギング持続時間を計測するリンギング時間計測手段と、着信履歴を記憶する着信履歴手段と、前記リンギング時間計測手段により計測されたリンギング持続時間の計測結果を、前記着信履歴手段に記憶すると共に、前記着信履歴手段に記憶されたリンギング継続時間の計測結果を表示する制御手段と、を備えた。
また、請求項３記載の発明では、リンギング持続時間を計測するリンギング時間計測手段と、着信履歴を記憶する着信履歴手段と、前記リンギング時間計測手段により計測されたリンギング持続時間の計測結果と、着信に応答したかあるいは応答しなかったかを示す応答情報とを前記着信履歴手段に記憶すると共に、前記着信履歴手段に記憶されたリンギング継続時間の計測結果と前記応答情報とを表示する制御手段と、を備えた。
また、請求項４記載の発明では、請求項１乃至３の何れか一項に記載の発明において、相手の電話番号を取得する電話番号取得手段を更に備え、前記制御手段は前記電話番号取得手段により取得された相手の電話番号を表示する。
また、請求項５記載の発明では、請求項４に記載の発明において、前記制御手段は前記表示された電話番号に発呼する。
また、請求項６記載の発明では、請求項１乃至５の何れか一項に記載の発明において、前記制御手段は着信日時を表示する。
また、請求項７記載の発明では、請求項１乃至６の何れか一項に記載の発明において、前記制御手段は着信に応答した場合には、前記リンギング持続時間の計測結果を表示しない。
また、請求項８記載の発明では、請求項１乃至７の何れか一項に記載の発明において、留守録を行う留守録手段を更に備え、前記制御手段は前記留守録手段により留守録が行われた場合には、前記リンギング持続時間の計測結果を表示しない。
また、請求項９記載の発明では、リンギング持続時間を計測するリンギング時間計測ステップと、前記リンギング時間計測ステップにより計測されたリンギング持続時間の計測結果を表示すると共に、着信に応答したかあるいは応答しなかったかを示す応答情報を表示する制御ステップと、を備えた。
また、請求項１０記載の発明では、リンギング持続時間を計測するリンギング時間計測ステップと、着信履歴を記憶する着信履歴ステップと、前記リンギング時間計測ステップにより計測されたリンギング持続時間の計測結果を、前記着信履歴ステップとして記憶すると共に、前記着信履歴ステップに記憶されたリンギング継続時間の計測結果を表示する制御ステップと、を備えた。
また、請求項１１記載の発明では、リンギング持続時間を計測するリンギング時間計測ステップと、着信履歴を記憶する着信履歴ステップと、前記リンギング時間計測ステップにより計測されたリンギング持続時間の計測結果と、着信に応答したかあるいは応答しなかったかを示す応答情報とを前記着信履歴ステップとして記憶すると共に、前記着信履歴ステップに記憶されたリンギング継続時間の計測結果と前記応答情報とを表示する制御ステップと、を備えた。
また、請求項１２記載の発明では、請求項９乃至１１の何れか一項に記載の発明において、相手の電話番号を取得する電話番号取得ステップを更に備え、前記制御ステップは前記電話番号取得ステップにより取得された相手の電話番号を表示する。
また、請求項１３記載の発明では、請求項１２に記載の発明において、前記制御ステップは前記表示された電話番号に発呼する。
また、請求項１４記載の発明では、請求項９乃至１３の何れか一項に記載の発明において、前記制御ステップは着信日時を表示する。
また、請求項１５記載の発明では、請求項９乃至１４の何れか一項に記載の発明において、前記制御ステップは着信に応答した場合には、前記リンギング持続時間の計測結果を表示しない。
また、請求項１６記載の発明では、請求項９乃至１５の何れか一項に記載の発明において、留守録を行う留守録ステップを更に備え、前記制御ステップは前記留守録ステップにより留守録が行われた場合には、前記リンギング持続時間の計測結果を表示しない。
【手続補正３】
【補正対象書類名】明細書
【補正対象項目名】０００５
【補正方法】変更
【補正の内容】
【０００５】
本発明によれば、請求項１、９記載の発明では、リンギング持続時間を計測するリンギング時間計測手段により計測されたリンギング持続時間の計測結果を表示すると共に、着信に応答したかあるいは応答しなかったかを示す応答情報を表示する制御手段と、を備えたので、着信時に応答できなかった個々の着信について、リンギング時間の長かった着信を重要性大あるいは緊急性大の着信と判断することにより、その着信の発信者に対して優先的に電話をかけることができる。
また、請求項２、１０記載の発明では、リンギング持続時間を計測するリンギング時間計測手段と、着信履歴を記憶する着信履歴手段と、リンギング時間計測手段により計測されたリンギング持続時間の計測結果を、着信履歴手段に記憶すると共に、着信履歴手段に記憶されたリンギング継続時間の計測結果を表示する制御手段と、を備えたので、各着信時に、リンギング持続時間が計測され、また、相手の電話番号が取得され、前記リンギング持続時間と相手の電話番号とが対応付けられて着信履歴記憶手段に書き込まれるので、着信時に応答できなかった個々の着信について、リンギング持続時間の長かった着信を重要性大あるいは緊急性大の着信と判断することにより、その着信の発信者に対して優先的に電話をかけることができる。
また、請求項３、１１記載の発明では、リンギング持続時間を計測するリンギング時間計測手段と、着信履歴を記憶する着信履歴手段と、リンギング時間計測手段により計測されたリンギング持続時間の計測結果と、着信に応答したかあるいは応答しなかったかを示す応答情報とを着信履歴手段に記憶すると共に、着信履歴手段に記憶されたリンギング継続時間の計測結果と応答情報とを表示する制御手段を備えたので、各着信時に、リンギング持続時間が計測され、また、相手の応答情報が取得され、リンギング持続時間と相手の応答情報とが対応付けられて着信履歴記憶手段に書き込まれるので、着信時に応答できなかった個々の着信について、リンギング持続時間の長かった着信或いは応答情報の内容により重要性大あるいは緊急性大の着信と判断することにより、その着信の発信者に対して優先的に電話をかけることができる。
また、請求項４、１２記載の発明では、相手の電話番号を取得する電話番号取得手段を更に備え、制御手段は電話番号取得手段により取得された相手の電話番号を表示するので、リンギング時間の長かった着信を重要性大あるいは緊急性大の着信と判断することにより、その着信の発信者に対して優先的に電話をかけることができる。
また、請求項５、１３記載の発明では、制御手段は表示された電話番号に発呼するので、その着信の発信者に対して優先的に電話をかけることができる。
また、請求項６、１４記載の発明では、制御手段は着信日時を表示するので、その着信の発信者に対して優先的に電話をかけることができる。
また、請求項７、１５記載の発明では、制御手段は着信に応答した場合には、リンギング持続時間の計測結果を表示しないので、その着信の発信者に対して優先的に電話をかけることができる。
また、請求項８、１６記載の発明では、留守録を行う留守録手段を更に備え、制御手段は留守録手段により留守録が行われた場合には、リンギング持続時間の計測結果を表示しないので、その着信の発信者に対して優先的に電話をかけることができる。